【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
少なくとも１つの生体構造に関する情報を得るための装置であって、
少なくとも１つの電磁放射を伝播する少なくとも１つのファイバを備える光案内機器であって、前記電磁放射は、前記構造へまたは前記構造からの少なくとも一方で供給される光案内機器と、
複数の面を有する少なくとも部分的に反射する反射機器であって、前記反射機器は、前記面のそれぞれが前記電磁放射の少なくとも１つのビームを瞬時に受け取るように前記光案内機器に対して配置されている反射機器と、
スペックルパターンを含む、前記面からの前記反射された放射を受け取るように構成されている少なくとも１つの受け取り機器と
を備える装置。
【請求項２】
前記電磁放射を受け取り、受け取った放射が同じ偏波で前記少なくとも１つの受け取り機器へ戻らないようにする少なくとも１つの偏波機器をさらに含む、請求項１に記載の装置。
【請求項３】
前記反射機器は、円錐形、多角形または方錐形のうちの少なくとも１つの形状を有する少なくとも１つの部分を有する、請求項１に記載の装置。
【請求項４】
前記少なくとも１つの電磁放射を受け取るように構成されている光学機器をさらに含み、前記光学機器は、ＧＲＩＮレンズ、ボールレンズまたはイメージングレンズのうち少なくとも１つを含む、請求項１に記載の装置。
【請求項５】
前記面の数は、２または３以上である、請求項１に記載の装置。
【請求項６】
前記光案内機器は、前記電磁放射を別々の波長を有する別々の放射に分割する構成を備え、前記複数の面は、前記別々の放射を反射し、前記少なくとも１つの受け取り機器は、前記別々の波長で供給される前記反射された別々の放射を受け取るようにさらに構成されている、請求項１に記載の装置。
【請求項７】
少なくとも１つの生体構造に関する情報を得るための装置であって、
少なくとも１つの電磁放射を伝播される少なくとも１つのファイバを備えるカテーテル機器であって、前記電磁放射は、前記構造へまたは前記構造からの少なくとも一方で供給されるカテーテル機器と、
前記カテーテル機器のプルバックを容易にするように構成されたプルバック機器と、
複数のセンサを含む検出機器であって、前記センサは、前記カテーテル機器の少なくとも１つの部分の表面と結合され、前記プルバック機器と一緒に動き、前記構造から供給された少なくとも１つの電磁放射に関する光学情報を受け取って前記情報を発生するように構成されている検出機器と
を備える装置。
【請求項８】
前記少なくとも１つのファイバは、ファイババンドルを含み、前記ファイババンドルは、（ｉ）コア直径の変動が±０．０３μｍから±０．３μｍである３．０μｍ±０．３μｍのコア直径と、（ｉｉ）少なくとも０．３５の開口数と、（ｉｉｉ）８．０μｍ±０．５μｍのコア間隔とを有する、請求項７に記載の装置。
【請求項９】
前記少なくとも１つのモータは、前記プルバック機器がカテーテルおよび検出機器を段階的に動かすように、前記プルバック機器を制御する、請求項７に記載の装置。
【請求項１０】
前記少なくとも１つのモータは、前記プルバック機器を制御して駆動軸または遠位光学系の少なくとも１つを回転させる、または前記カテーテルを静止保持する、請求項９に記載の装置。
【請求項１１】
前記カテーテルおよび検出機器の動きの時間間隔は、５ミリ秒から１００ミリ秒の間である、請求項１０に記載の装置。
【請求項１２】
前記センサは、異なる波長で供給される電磁放射に関連する前記光学情報を受け取り、異なる波長で供給される前記電磁放射に基づいて前記光学情報をフィルタ処理するように構成されているフィルタ機器をさらに備える、請求項７に記載の装置。
【請求項１３】
生体構造の少なくとも１つの部分をイメージングするための装置であって、
前記構造に複数の照射位置において少なくとも１つの第１の電磁放射を送るように構成されている放射供給機器と、
前記構造の前記複数の位置から少なくとも１つの第２の電磁放射を受け取るように構成されている検出機器と、
前記第１の電磁放射を送っている間に、前記検出機器の放射機器の少なくとも１つをプルバックさせるように構成されているプルバック機器と、
を備え、
前記検出機器は、前記放射供給機器を回転させずに前記少なくとも１つの第２の電磁放射に基づいて前記構造の前記少なくとも１つの部分をイメージングするようにさらに構成されている装置。
【請求項１４】
前記少なくとも１つの第１の電磁放射は、前記構造に複数の照射位置において実質的に同時に送られる、請求項１３に記載の装置。
【請求項１５】
前記少なくとも１つの第２の電磁放射は、前記構造の前記複数の位置から実質的に同時に受け取られ、前記構造の前記少なくとも１つの部分から反射されたスペックルパターンに関する情報を提供する、請求項１３に記載の装置。
【請求項１６】
前記スペックルパターンは、時間によって変化する強度を有し、前記構造の前記少なくとも１つの部分の機械的性質に関する情報であって、前記検出機器によって判定される情報を提供する、請求項１５に記載の装置。
【請求項１７】
ａ）放射供給機器を用いて、構造に複数の照射位置において少なくとも１つの第１の電磁放射を送るステップと、
ｂ）検出機器を用いて、前記構造の前記複数の位置から少なくとも１つの第２の電磁放射を受け取るステップと、
ｃ）手順（ａ）の間に、前記検出機器の放射機器の少なくとも１つをプルバックするステップと、
を含む生体構造の少なくとも１つの部分をイメージングするための方法であって、
前記検出機器は、前記放射供給機器を回転させずに、前記少なくとも１つの第２の電磁放射に基づいて前記構造の前記少なくとも１つの部分の実質的に表面全体をイメージングするように構成されている方法。
【請求項１８】
前記少なくとも１つの第１の電磁放射は、前記構造に複数の照射位置において実質的に同時に送られ、前記少なくとも１つの第２の電磁放射は、前記構造の前記複数の位置から実質的に同時に受け取られる、請求項１７に記載の方法。
【請求項１９】
前記検出機器から少なくとも１つのスペックルパターンを受け取るステップと、
コンピュータハードウェア装置を用いて、前記情報に基づいて前記生体構造の画像を生成させるステップと
をさらに含む請求項１７に記載の方法。
【請求項２０】
前記コンピュータハードウェアが、
前記少なくとも１つのスペックルパターンからこま撮りアーチファクトを除くステップと、
前記少なくとも１つのスペックルパターンのスペックル強度変動を決定するステップと、
時間の経過に伴う複数のミラーファセットの変化を測定することによって前記スペックル強度変動を判定するステップと、
前記少なくとも１つのスペックルパターンからバックグラウンド変動または放射源変動の少なくとも一方を除去するステップと、
前記少なくとも１つのスペックルパターンから実質的に静止しているかまたはゆらがないスペックルの少なくとも一方をフィルタ処理するステップと、
前記少なくとも１つの反射された放射の位相変動を判定するステップと
をさらに実行するように構成されている、請求項１９に記載の方法。
【請求項２１】
光ファイババンドルにおいてファイバ間クロストークを低下させる方法であって、
それぞれが、
コア直径の変動が±０．０３μｍから±０．３μｍである３．０μｍ±０．３μｍのコア直径と、
少なくとも０．３５の開口数と、
を有する複数のコアファイバを備える光ファイババンドルであって、８．０μｍ±０．５μｍのコア間隔を有する光ファイババンドルを準備するステップと、
前記光ファイババンドル中に光を受け取るステップと、
を含み、前記光ファイババンドルは低下したファイバ間クロストークを有する方法。
【請求項２２】
前記コアファイバの直径は、３．０μｍ±０．２μｍまたは３．０μｍ±０．１μｍであり、前記コア直径の変動は、±０．０６μｍから±０．２μｍまたは±０．０６μｍから±０．１μｍであり、前記開口数は、０．３８から０．４１の間であり、前記コア間隔は、８．０μｍ±０．３μｍまたは８．０μｍ±０．２μｍである、請求項２１に記載の方法。
【請求項２３】
前記光ファイババンドルは、０．５ｍの伝播距離において６９０ｎｍの放射を用いてショットノースアメリカ（ＳＣＨＯＴＴ  Ｎｏｒｔｈ  Ａｍｅｒｉｃａ）１型として定義されている浸出型光ファイバ画像バンドル内のファイバ間クロストークより少なくとも１０％小さなファイバ間クロストークを有する、請求項２１に記載の方法。
【請求項２４】
低いファイバ間クロストークを有する、レーザスペックルイメージングのための装置であって、
コヒーレントな放射源と、
前記コヒーレントな放射源からの放射を受け取るように構成された光ファイババンドルであって、コア直径、コア直径の変動、開口数およびコア間隔を有する複数のコアファイバを備え、前記コア直径、コア直径の前記変動、前記開口数および前記コア間隔のそれぞれは、モード結合理論（ＣＭＴ）を用いて決定される光ファイババンドルと、
コヒーレントな放射を前記光ファイババンドルから組織に向かわせ、前記組織からの放射を収集するように構成されている１または２以上の光学素子と、
前記１または２以上の光学素子からのスペックルパターンを受け取るように構成されている検出器と、
を備える装置。
【請求項２５】
前記コアファイバの直径は、３．０μｍ±０．３μｍまたは３．０μｍ±０．１μｍであり、前記コア直径の変動は、±０．０３μｍから±０．３μｍまたは±０．０３μｍから±０．１μｍであり、前記開口数は、少なくとも０．３５であり、前記コア間隔は、８．０μｍ±０．５μｍまたは８．０μｍ±０．２μｍである、請求項２４に記載の装置。
【請求項２６】
前記光ファイババンドルは、コア直径の変動が±０．１μｍから±０．３μｍである３．０μｍ±０．３μｍのコア直径、および少なくとも０．３５の開口数を備え、前記光ファイババンドルは、８．０μｍ±０．５μｍのコア間隔を有する、請求項２４に記載の装置。
【請求項２７】
組織分析の方法であって、
内腔壁の少なくとも１つの第１の円筒区間をコヒーレント光または部分コヒーレント光で照射するステップであって、複数ファセット錐体ミラーの少なくとも１つのファセットを介して光を通すことによって照射するステップと、
内腔壁の前記第１の円筒区間から反射された光を前記ミラーにおいて受け取るステップと、
前記第１の照射するステップとは異なる時において内腔壁の少なくとも第２の円筒区間をコヒーレント光または部分コヒーレント光で照射するステップであって、前記複数ファセット錐体ミラーの少なくとも第２のファセットを介して光を通すことによって照射し、内腔壁の前記第２の円筒区間から反射された光を前記ミラーにおいて受け取るステップと、
前記ミラーから反射された光を検出器において受け取り、一連のスペックルパターンを形成するステップと、
前記スペックルパターンの変化を前記組織内の物体の微視的な動きが原因となる変化を測定するのに十分な時間間隔で分析するステップと、
を含む方法。
【請求項２８】
前記照射は、最初に、一度に前記錐体ミラーの単一ファセットまたは一度に前記錐体ミラーの隣り合っていない複数のファセットのどちらかを介して内腔壁の円筒区間を照射することによって行われる、請求項２７に記載の方法。
【請求項２９】
前記複数のファセット錐体ミラーは４面ミラーであり、内腔壁の前記円筒区間は、２つの隣り合っていないファセットを介して同時に照射され、次に、内腔壁の前記円筒区間は、その他の２つの隣り合っていないファセットを介して同時に照射される、請求項２７に記載の方法。
【請求項３０】
前記複数ファセット錐体ミラーは、６面ミラーであり、内腔壁の前記円筒区間は２つまたは３つの隣り合っていないファセットを介して同時に照射される、請求項２７に記載の方法。